(57)【要約】【課題】施封して放出する紙幣束が多量にある場合に、係員が各紙幣束の金種を視認しやすい向きに放出する手段を提供する。【解決手段】施封部１２は、施封した紙幣束を放出する放出口１３と、施封した紙幣束を放出口１３に搬送するベルト１２ａと、ベルト１２ａ間に配した回転台部１４を有し、ベルト１２ａにより搬送した紙幣束を回転台部１４の上で停止させ、その紙幣束の金種に応じて回転台部１４を回転させて、紙幣束の向きを金種に応じて変更する。【選択図】図１
2010191785.tif 000002
【特許請求の範囲】
【請求項１】
紙幣を金種別に集積する複数の集積部と、該集積部に集積した一定枚数の紙幣を施封する施封部と、前記集積部に集積された紙幣を前記施封部に移送するハンド部とを備えた紙幣処理装置であって、
前記施封部は、施封した紙幣を放出する放出口と、施封した紙幣を前記放出口に搬送する上下１対でかつ平行に配置されたベルトと、該ベルトの間に配した回転台を有し、
前記ベルトにより搬送した紙幣を前記回転台の上で停止させ、前記回転台の回転により紙幣の向きをその金種に応じて変更することを特徴とする紙幣処理装置。
【請求項２】
請求項１に記載の紙幣処理装置において、
前記平行に配置されたベルトの間隔を紙幣の短手方向の長さ以下として、紙幣の短手方向の両端を挟持可能とし、
前記ベルトによって前記回転台まで搬送されてくる紙幣の向きを、短手方向を搬送方向として、
紙幣が第１の金種のときは紙幣の向きは変えず、第２の金種のときは紙幣の向きを前記回転台により略９０度変更し、紙幣が第３の金種のときは紙幣の向きを前記回転台により略４５度変更したのち、前記放出口に搬送することを特徴とすることを特徴とする紙幣処理装置。
【請求項３】
紙幣を金種別に集積する複数の集積部と、該集積部に集積した一定枚数の紙幣を施封する施封部と、前記集積部に集積された紙幣を前記施封部に移送するハンド部とを備えた紙幣処理装置であって、
前記施封部は、施封した紙幣を放出する放出口と、該放出口に向かって下方に傾斜する傾斜面と、該傾斜面の傾斜方向に対する左右方向に回動して紙幣の滑り落ちる方向を案内する２枚のガイド板とを有し、
紙幣の金種に応じて前記２枚のガイド板を回動させることで、紙幣を金種に応じた前記放出口の特定の位置に寄せることを特徴とする紙幣処理装置。
【発明の詳細な説明】
【技術分野】
【０００１】
本発明は、金融機関等に設置される紙幣処理装置に関し、特に施封した紙幣束の金種を判別し易い状態で排出する。
【背景技術】
【０００２】
従来の紙幣処理装置は、投入部に集積された紙幣を分離して認識部に搬送し、認識部によって紙幣が真券であることを確認すると、その紙幣をさらに一時集積部に搬送して集積して、その一時集積部に紙幣が１００枚集積されると、その１００枚の紙幣を移送体によって一時集積部から施封部に移して施封部で紙幣束にまとめ、放出口に放出している（例えば、特許文献１参照。）。
【特許文献１】特開２００７−６６２４９号公報（段落「００１９」−段落「００２１」、図１）
【発明の開示】
【発明が解決しようとする課題】
【０００３】
しかしながら、上述した従来の技術においては、紙幣束の金種に関わらず放出口から同じように放出している、そのため施封して放出する紙幣束が多量にあって、かつ金種が複数ある場合に、その放出された複数の紙幣束を金種ごとに整理するのに時間が掛かってしまうことがあるという問題がある。
本発明は、上記の問題点を解決するための手段を提供することを目的とする。
【課題を解決するための手段】
【０００４】
本発明は、上記課題を解決するために、紙幣を金種別に集積する複数の集積部と、該集積部に集積した一定枚数の紙幣を施封する施封部と、前記集積部に集積された紙幣を前記施封部に移送するハンド部とを備えた紙幣処理装置であって、前記施封部は、施封した紙幣を放出する放出口と、該放出口に紙幣を搬送させる上下１対で２列に並ぶベルトと、該２列のベルトの間に配した回転台を有し、紙幣の金種に応じて前記回転台を回転させて紙幣の向きを変え、その紙幣を前記放出口に搬送させることを特徴とする。
【発明の効果】
【０００５】
これにより、本発明は、放出口に放出した紙幣束をその金種に応じた向きとするので、紙幣束を取り出す係員にとっては紙幣束の金種をより視認しやすくなるという効果が得られる。
【図面の簡単な説明】
【０００６】
【図１】実施例１の紙幣処理装置を示す概略構成図
【図２】施封部内のベルトと回転台とを上方から見た様子を示す説明図
【図３】実施例２の放出口とベルトとの間に配される傾斜面を示す上面図
【発明を実施するための最良の形態】
【０００７】
以下に、図面を参照して本発明による紙幣処理装置の実施例について説明する。
【実施例１】
【０００８】
図１は実施例１の紙幣処理装置を示す概略構成図である。
図１において、１は紙幣処理装置である。
２は紙幣受入部であり、紙幣を集積して収納するための収納空間を有しており、紙幣処理装置１の筐体に設けられた図示しない紙幣投入口に投入された紙幣を受け入れて収納する。
【０００９】
紙幣受入部２は、その収納空間にビルプレスを設け、また収納空間内に一部が突出するように配された繰出ローラを設けていることで、ビルプレスと繰出ローラとで分離機構を構成し、収納した紙幣をビルプレスによって繰出ローラに押圧して繰出ローラを回転させることで、紙幣を搬送路に繰出していく機能を有する。
３は搬送路であり、紙幣受入部２から繰出された紙幣を紙幣処理装置１の各部へと搬送し、その途中にブレード１０を複数設けており、このブレード１０を動かすことで紙幣の搬送方向を切り替えるようになっている。
【００１０】
また搬送路３の各所には光学式等の検知センサが複数設けられており、この検知センサによって搬送されている紙幣を検知する他、重送や搬送ジャム等の搬送エラーを検知する。
４は紙幣鑑別部であり、搬送される紙幣の真偽や正損、金種等を鑑別すると共に鑑別した紙幣の枚数を計数する機能を有する。
【００１１】
５は紙幣返却部であり、紙幣鑑別部４で偽券や金種不明と鑑別されたリジェクト紙幣や搬送エラー発生時に搬送路３に繰出されている紙幣等の返却対象の紙幣を集積する。
６はオープンポケットであり、紙幣処理装置１の上面に設けられており、結束対象外の金種の紙幣を集積する。図１においてオープンポケット６を２つ設けているが２つに限定しているものではない。
【００１２】
７ａ〜７ｅは集積部であり、筐体内に設けられて縦一列に並べられており、それぞれ予め定められた金種の紙幣を一定枚数集積するようになっている。尚、本実施例においてはその数は５つとしているが、それに限られるものでないことはいうまでもない。
８はハンド部であり、筐体内に設けられて垂直方向および水平方向に移動するものとなっており、集積部７ａ〜７ｅと施封部１２との間で紙幣の抜き取りや受け渡し等の移送を行う機能を有する。
【００１３】
ハンド部８は、上下動する２枚の可動板を有してその２枚の可動板で紙幣を挟持すると共に、集積部７ａ〜７ｅから施封部１２へと移動することで紙幣の抜き取りを行い、施封部１２内で紙幣を挟持した状態から可動板の間隔を広げることで紙幣を後述するベルト１２ａに受け渡すようにしている。
１２は施封部であり、ハンド部８から紙幣を引き取って紙テープ等による施封用の帯で紙幣を束ねて紙幣束を作る機能を有する。
【００１４】
また施封部１２内には、ハンド部８から紙幣を受け取る位置から放出口１３に向かって延びる上下一対で、かつ平行に配置された２つのベルト１２ａを設けており、上下のベルト間で紙幣束を挟持することで、紙幣束を放出口１３へと搬送する。
なお、紙幣処理装置１の筐体には、放出口１３に対応した箇所に扉が設けられて、係員によりその扉を開くことで放出口１３に放出された紙幣束を取り出すことが可能となる。
【００１５】
２つのベルト１２ａ同士の間隔は、紙幣の短手方向の長さ以下で、紙幣の短手方向の端部を挟持できる間隔に設定され、またベルト１２ａ間には後述する施封した紙幣束の向きを変えるための回転台部１４が設けられている。
ここで、図２は施封部内のベルトと回転台とを上方から見た様子を示す説明図である。
図２において、１４は回転台部であり、図示しない回転機構によって回転可能に構成され、上面に紙幣束が載置した状態で回転することによって紙幣束の向きを変える。
【００１６】
また回転台部１４は、図示しない移動機構によって図１の矢印ａで示す上下方向に移動可能に構成されており、紙幣束の搬送を遮らない位置まで下降することで退避しており、紙幣束の向きを変える際には紙幣束が上方に位置したときにその上面に紙幣束が載置する位置まで上昇し、その上昇した位置で回転することで紙幣束の向きを変えるようにしている。
【００１７】
なお、図１において、１６は制御部であり、記憶部１７に格納された制御プログラムに従って各部の動作を制御する。
１７は記憶部であり、制御プログラムを格納する他、制御部１６による処理結果等を記憶する。
また、記憶部１７は施封した紙幣束を放出する向きを金種ごとに記憶しており、本実施例においては、千円札（第１の金種）の紙幣束は施封してからベルト１２ａにより搬送される向きと同じ向き、１万円札（第２の金種）は千円札の向きに対して９０度変更した向き、５千円札（第３の金種）の場合は千円札の紙幣束の向きに対して４５度回転させた向き等のように定める。
【００１８】
１８は表示操作部であり、紙幣処理装置１の筐体上部に設けられて、紙幣の施封等の各種処理の選択キー等を配した処理選択画面や、操作案内の画面等を表示する表示画面を備える他、表示画面上にタッチパネルを配し、処理選択画面で入力された内容を受付ける機能を有する。
上述した構成の作用について説明する。
【００１９】
本実施例においては、千円札、５千円札、１万円札の３種類の金種が混在した複数枚の紙幣が投入されるものとし、それらを金種ごとにまとめて施封するものとする。
紙幣処理装置１の制御部１６は、表示操作部１８に処理選択画面を表示して待機しており、係員によって紙幣の施封を指定する施封処理のキーが押下されると、施封する紙幣の施封枚数（例えば、１００枚とする。）等の施封条件を設定するための入力欄やテンキー等を配した条件設定画面を表示する。
【００２０】
制御部１６は、係員によって入力された施封条件を記憶部１７に記憶し、表示操作部１８に紙幣を紙幣受入部２に投入するように促す画面と共に紙幣の搬送の開始キーを配した紙幣投入指示画面を表示する。
係員は、紙幣投入指示画面に従って紙幣受入部２に紙幣を投入し開始キーを押下する。
制御部１６は、開始キーの押下を認識すると、係員により投入された紙幣を分離機構によって１枚ずつ分離して繰出し、繰出した紙幣を搬送路３により紙幣鑑別部４に搬送する。
【００２１】
制御部１６は、紙幣鑑別部４により紙幣の金種や真偽搬送した紙幣の鑑別を行い、その鑑別から金種が確定した紙幣を搬送路３によって集積部７ａ〜７ｅの何れかに搬送することによって金種毎に分けて集積する。
なお、制御部１６はリジェクト紙幣と鑑別した紙幣を搬送路３によって紙幣返却部５に搬送することでリジェクト紙幣を顧客に返却するようにしている。
【００２２】
制御部１６は、各集積部７ａ〜７ｅに搬送した紙幣を図示しないセンサによってカウントし、例えば集積部７ａに紙幣を施封枚数（例えば１００枚）分搬送したことを認識したとき、ハンド部８を垂直移動させることで集積部７ａの側方に位置させてから集積部７ａ内に水平移動させ、集積部７ａ内の集積紙幣を挟持して集積部７ａの外に水平移動させることで、集積紙幣を抜き取ってハンド部８を施封部１２に挟持している集積紙幣を受け渡す。
【００２３】
ここで集積紙幣は、その短手方向とベルト１２ａによる搬送方向とが一致する向きで施封部１２に受け渡されてベルト１２ａによって搬送される。これは施封部１２により集積紙幣に巻き付ける施封用の帯は紙幣の短手方向に巻き付けるためであって、そのため後述の施封された紙幣束はベルト１２ａによって長手方向の両端部が挟持されて搬送される。
制御部１６は、集積紙幣を施封部１２によって紙幣束に施封すると共に、その紙幣束の金種に応じて向きの変更の有無を判断する。
【００２４】
具体的には、制御部１６は集積紙幣を集積部７ａから抜き取ったことからその金種を判別することができるので、その判別した金種をもとに紙幣束の向きを決定し、現在の紙幣束の向きから変更の有無を判断する。
制御部１６は、例えば金種が千円札で紙幣束の向きを変えないものと判断した場合は、紙幣束をベルト１２ａにより放出口１３に搬送する。
【００２５】
また金種が５千円札や１万円札であって、紙幣束の向きを変えると判断した場合は紙幣束を回転台部１４の上方に搬送し、ベルト１２ａを一旦停止させる。
なお、制御部１６は図示しないセンサによって紙幣束が回転台部１４の上方まで搬送したことを検知するものとし、センサにより検知したときにベルト１２ａを停止させる。
このとき、回転台部１４は紙幣束の搬送を妨げない位置まで下降した状態であり、制御部１６はベルト１２ａを停止すると共に、図示しない移動機構によって回転台部１４を上昇させ、紙幣束を回転台部１４によって持ち上げるような状態にする。
【００２６】
そして、紙幣束の金種に応じて回転台部１４を回転させて、紙幣束の向きを変えるようにする。つまり紙幣束の金種が１万円札であれば紙幣束の向きを略９０度変更し、金種が５千円札であれば紙幣束の向きを略４５度変更する。
制御部１６はベルト１２ａによって紙幣束をさらに搬送し放出口１３に放出して、紙幣の施封処理を終了する。
【００２７】
以上説明したように、本実施例では、施封部に回転台部を設け、回転台部によって紙幣束をその金種に応じた向きに回転させるため、例えば１万円札束は横向き、５千円札束は斜め向き、千円札束は縦向き等、紙幣束の放出時の角度を変えることによって、紙幣束を取り出す係員にとってはより視覚的に金種を認識しやすくなり、放出する紙幣束が多量にあって、かつ金種が複数あるような場合でも金種ごとに紙幣束を整理するのが容易となる。
【実施例２】
【００２８】
上記実施例１と同様の部分は同一の符号を付してその説明を省略する。
なお、本実施例の施封部１２は、ベルト１２ａと放出口との間に傾斜面を設けられているものとし、ベルト１２ａによって搬送された紙幣束は傾斜面から放出口へと滑り落ちて放出されるようになっている。
また、本実施例においては上記実施例１の回転台部１４は設けていないものとする。
【００２９】
ここで、図３は実施例２の放出口とベルトとの間に配される傾斜面を示す上面図である。
図３において、２０は傾斜面であり、ベルト１２ａ側から放出口１３側に向かって下方に傾斜している。
２１は可動ガイド板部であり、傾斜面２０のベルト１２ａ寄りの端部に配され、紙幣束の幅よりも広い間隔で配置される２枚のガイド板２１ａによって構成され、２枚のガイド板２１ａによって傾斜面２０を滑り落ちる紙幣束の幅方向の搬送を案内する。
【００３０】
可動ガイド板部２１は、一端がベルト１２ａ側の端部に固定され、かつ図示しない駆動機構の駆動に連動するように構成される。そのためガイド板２１ａは図示しない駆動機構に連動する場合は一端を中心に他端が紙幣束の搬送方向に対して図３の矢印Ａで示す右方向あるいは、矢印Ｂで示す左方向に回動する。
上記の構成の作用について説明する。
【００３１】
紙幣束を放出口１３に放出するとき、制御部１６はその紙幣束の金種に応じて可動ガイド板部２１の２枚のガイド板２１ａを回動させる。例えば千円札の紙幣束の場合は紙幣束の搬送方向に対してガイド板２１ａを図３の矢印Ａで示す右方向に回動させ放出口１３の右側に紙幣束を寄せ、５千円札の紙幣束の場合はガイド板２１ａを搬送方向に沿った向きで放出口１３の中央付近に紙幣束が放出されるようにし、１万円札の紙幣束の場合は搬送方向に対してガイド板２１ａを図３の矢印Ｂで示す左方向に回動させて放出口１３の左側に紙幣束を寄せるようにする。
【００３２】
以上説明したように、本実施例では、可動ガイド板部を設けてその２枚のガイド板を紙幣束の金種に応じた向きに回動し、紙幣束の滑り落ちる方向を案内して放出口に放出する紙幣束の位置を定めることによって、紙幣束を取り出す係員にとってはより視覚的に金種を認識しやすくなり、放出する紙幣束が多量にあって、かつ金種が複数あるような場合でも金種ごとに紙幣束を整理するのが容易となる。
【符号の説明】
【００３３】
１    紙幣処理装置
２    紙幣受入部
３    搬送路
４    紙幣鑑別部
５    紙幣返却部
６    オープンポケット
７ａ〜７ｅ  集積部
８    ハンド部
１０  ブレード
１２  施封部
１２ａ  ベルト
１３  放出口
１４  回転台部
１６  制御部
１７  記憶部
１８  表示操作部
【図１】
2010191785.tif 000003
【図２】
2010191785.tif 000004
【図３】
2010191785.tif 000005